(57)【要約】【課題】関節及び背骨を健全に支持し、人体の輪郭に的確に沿うことができる多層スプリングマットレスを提供すること。【解決手段】コイルばね２を含む少なくとも一つのコア層１と布団地７を備え、コア層１は、コイルばね２の主軸に対して垂直で、保持層４が取り付けられた少なくとも一つの表面を有し、コイルばね２は、コア層１の長さ方向において中央の１/３を占めている横領域内に配置され、保持層４によってその位置に保持され、空気循環用挿入部３がコア層１の他の２/３を占める横領域内に配置されている。【選択図】図１
0003173560.tif 000002
【実用新案登録請求の範囲】
【請求項１】
コイルばねを含む少なくとも一つのコア層と布団地を備えた多層スプリングマットレスにおいて、コア層（１）は、コイルばね（２）の主軸に対して垂直で、保持層（４）が取り付けられた少なくとも一つの表面を有し、コイルばね（２）は、コア層（１）の長さ方向において中央の１/３を占めている横領域内に配置されると共に、保持層（４）によってその位置に保持され、空気循環用挿入部（３）がコア層（１）の他の２/３を占める横領域内に配置されていることを特徴とする多層スプリングマットレス。
【請求項２】
弾力性のある保持用挿入部材（５）がコイルばね（２）の内部に設置されていることを特徴とする請求項１に記載の多層スプリングマットレス。
【請求項３】
コア層（１）がコイルばね（２）の主軸に対して垂直な二つの表面を有することを特徴とする請求項１又は２に記載の多層スプリングマットレス。
【請求項４】
コイルばね（２）に対して垂直なコア層（１）の二つの表面に保持層（４）が取り付けられていることを特徴とした請求項３に記載の多層スプリングマットレス。
【請求項５】
コイルばね（２）が少なくとも一つの保持層（４）に埋め込むことにより保持されていることを特徴とした請求項４に記載の多層スプリングマットレス。
【請求項６】
少なくとも一つの柔軟層（６）が保持層（４）に取り付けられていることを特徴とした請求項１〜５のいずれかに記載の多層スプリングマットレス。
【請求項７】
各層が取り外し可能な結合手段によって互いに連結されていることを特徴とした請求項１〜６のいずれかに記載の多層スプリングマットレス。
【請求項８】
コイルばね（２）が木製であることを特徴とした請求項１〜７のいずれかに記載の多層スプリングマットレス。
【考案の詳細な説明】
【技術分野】
【０００１】
本考案は、コイルばねを含む少なくとも一つのコア層と布団地を備えた多層スプリングマットレスに関する。
【背景技術】
【０００２】
マットレスは、様々な支持構造や床の上に設置されて使用される。
従来のマットレスは、主として２つのグループに分けられる。
一つは、コア層が、鋼線で作られて相互に接続され、マットレスの全長に亘って対照的に配置されたコイルばねを含むスプリングマットレスのグループである。使用されている緩衝材は、マットレス製品に一般的に利用されている素材（スポンジ、天然ゴム、合成ラテックス、低温発泡材、コイア繊維、綿、羊毛）である。
【０００３】
このようなスプリングマットレスは、例えば、特許文献１、特許文献２、特許文献３及び特許文献４に開示されている。
これら従来のスプリングマットレスの欠点は、スプリングの配置が、人体の異なる部位によって加えられる異なる荷重に対して考慮されていないことである。スプリングは、機械的手段で固定され、間隔保持具又は支持枠によって安定させてある。マットレスの内部の空気循環と換気については十分に配慮されていない。
【０００４】
従来のマットレスにおいて、もう一つの主要なグループは、いわゆる天然又は有機マットレスである。
天然マットレスは、通常、コイア繊維又はラテックスゴムで作られる。これらの素材を結合することによって、多くの異なるマットレスタイプが生み出される。
コイア繊維及びラテックスは、部分的な弾力はあるものの、人体の輪郭に沿う能力はスプリングマットレスよりも劣る。
【先行技術文献】
【特許文献】
【０００５】
【特許文献１】英国特許第１００６７３５号明細書
【特許文献２】米国特許第６２７２７０６号明細書
【特許文献３】国際公開第２００４／０３９２１５号パンフレット
【特許文献４】英国特許第２１９８９３８号明細書
【考案の概要】
【考案が解決しようとする課題】
【０００６】
本考案が解決しようとする課題は、解剖学的に適正な支持を人体に与える多層スプリングマットレス、より具体的には、マットレス層及びコイルばねを特別に配置することにより、関節及び背骨を健全に支持し、人体の凹凸に的確に沿うことができる多層スプリングマットレスを提供することにある。
【課題を解決するための手段】
【０００７】
本考案の多層スプリングマットレスは、コア層内に設置されたコイルばね及び空気循環用挿入部の特別な配置と、さらに、コア層の上に重ねられた保持層及び柔軟層を通じて、使用上の快適性を高めるものである。
上記課題を達成するために、本考案の多層スプリングマットレスは、コイルばねを含む少なくとも一つのコア層と布団地を備え、コア層は、コイルばねの主軸に対して垂直で、保持層が取り付けられた少なくとも一つの表面を有し、コイルばねは、コア層の長さ方向において中央の１/３を占めている横領域内に配置されると共に、保持層によってその位置に保持され、空気循環用挿入部がコア層の他の２/３を占める横領域内に配置されている。
【０００８】
以下の構成を採用しても良い。
弾力性のある保持用挿入部材がコイルばねの内部に設置されている構成。
コア層がコイルばねの主軸に対して垂直な二つの表面を有する構成。
コイルばねに対して垂直なコア層の二つの表面に保持層が取り付けられている構成。
コイルばねが少なくとも一つの保持層に埋め込むことにより保持されている構成。
少なくとも一つの柔軟層が保持層に取り付けられている構成。
各層が取り外し可能な結合手段によって互いに連結されている構成。
コイルばねが木製である構成。
【考案の効果】
【０００９】
本考案の多層スプリングマットレスによれば、圧縮エネルギーを蓄えるコイルばねが、最も人体の重量が加わる中央の１/３を占める横領域に設置されているので、背骨を確実に且つ柔軟に支持すると共に、関節を保護することが可能であり、保持層によってコイルばねを安定した位置に保持できる。
また、空気循環用挿入部をコア層の他の２/３を占める横領域内に配置してあるので、内部の空気循環及び換気を確保できる。
【図面の簡単な説明】
【００１０】
【図１】本考案の実施例を示す多層スプリングマットレスの一部破断斜視図である。
【図２】本考案の他の実施例を示す多層スプリングマットレスの一部破断斜視図である。
【図３】本考案のさらに他の実施例を示す多層スプリングマットレスの一部破断斜視図である。
【図４】コイルばね及び空気循環用挿入部の配置を示す平面図。
【図５】コイルばねと保持層の結合構造の一例を示す斜視図。
【図６】コイルばねと保持層の結合構造の他の例を示す斜視図。
【図７】コイルばねと保持層の結合構造のさらに他の例を示す斜視図。
【考案を実施するための形態】
【００１１】
以下、本考案の実施例を図面に基づいて詳細に説明する。
図１、図２及び図３に示すように、本考案の好適な三つの実施例において、多層スプリングマットレスは、コイルばね２を含む一つのコア層１を有する。
コア層１の素材は、均質素材（図２，３）或いは多孔質素材（図１）とする。コア層１は、コイルばね２の主軸に対して垂直な少なくとも一つの表面（例えば、使用状態においてコア層１の底に位置する表面）を有する。
図に示す実施例では、コア層１は、このような二つの表面、即ち、使用状態においてコア層１の底に位置する表面と、上の表面とを有する。
【００１２】
保持層４は、これら表面の少なくとも一方に取り付けられている。図に示す実施例では、保持層４がコア層１の二つの表面に取り付けられ、コイルばね２が保持層４によってその位置に保持されている。コイルばね２は、保持層４の少なくとも一方に埋め込むか、保持層４の表面に接着或いは縫着する等の手段によって保持される。
コイルばね２は、弾力性のある保持用挿入部材５をコイルばね２の内部に設置すると共に、保持用挿入部材５を保持層４に取り付けることにより保持しても良い。
採用可能なコイルばね２の保持構造を図５〜７に示す。
【００１３】
コイルばね２は、電磁界が人体に及ぼす恐れのある不快な影響及びネガティブな生物学的影響を取り除くように、鋼性のものより３倍長く、荷重が取り除かれた時に完全に元の形に復帰する木製のコイルばねとすることができる。
コイルばね２は、コア層１の長さ方向において中央の１/３の横領域内において、コア層１の素材に形成された穴内に、マットレスコアを解剖学的に快適な領域に分割する対照的或いは非対照的な配列に従って設置されている。
荷重支持力及び重量の分布は、ばねの設置密度を変更することにより調節される。
図４は、ばねの設置例を示す。図４から明らかなように、空気循環用挿入部３は、加えられる荷重を軽くするために、コア層１の端部の２/３を占める横領域に配置される。
【００１４】
本考案の多層スプリングマットレスは、一層或いは複数層の柔軟層６を含む。柔軟層６は、コア層１の一面あるいは両面に配置することが可能であり、多層の柔軟層６を互いに積層することもできる。
柔軟層６の素材は、均質素材であっても多孔質素材であってもよい。また、柔軟層６の表面形状は、平滑、波形、或いは畝状とすることができる。
【００１５】
図２に示す実施例では、コア層１が均質素材より成り、上方の柔軟層６が二つの分割層６ａ，６ｂより成る。上方の分割層６ａの上面は畝状であり、底面は平滑である。上方の分割層６ａは均質素材より成り、下方の分割層６ｂは多孔質素材より成る。
下方の柔軟層６は、その上面及び底面の形状がそれぞれ平滑及び波形であり、抗菌性のある均質な素材より成る。
図３に示す実施例では、コア層１は均質素材より成り、上下の柔軟層６は、上下面が波形或いは畝状で、硬さの異なる複数の分割部より成る。
【００１６】
コア層１、保持層４及び柔軟層６の素材は、低温発泡材、ラテックス、粘弾性発泡材、ポリウレタン発泡材、コイア繊維等とすることができる。さらに、保持層４は、木質素材とすることも可能である。
また、コア層１、保持層４及び柔軟層６は、取り外し可能な結合手段によって互いに連結してもよい。
【００１７】
図１，２，３に示すように、多層スプリングマットレスは布団地７を備える。布団地７は、好ましくは、大豆繊維、竹繊維、羊毛、綿等の天然素材から作られる。
布団地７は、外観を良くすることに加えて、マットレスを汚れから保護する。また、布団地７は、換気効果があり、マットレスからの熱及び湿気の放出を妨げない抗アレルギー性で高純度の素材より成り、イエダニ及びバクテリアの繁殖を防ぐ。
【００１８】
本考案の多層スプリングマットレスの主な利点は、解剖学的に形成された構造が、関節の保護及び背骨に対する確かであるが柔軟な支持を提供することにある。圧力はマットレス表面から柔軟層６を通してコア層１に伝わり、圧縮エネルギーがコイルばね２によって蓄えられる。従って、マットレスは、全ての身体位置において背骨の異なる部分を適正に支持する。
また、このマットレスは、最適で均一な重量分布と、良好な形状の安定性と、素晴らしい弾力性と、効果的な内部の空気循環及び換気を提供し、製品の寿命を延ばすことができる。さらに、異なる硬さを有する異なる区域が正確に人体の凹凸に沿う。
【符号の説明】
【００１９】
１  コア層
２  コイルばね
３  空気循環用挿入部
４  保持層
５  保持用挿入部材
６  柔軟層
７  布団地
【図１】
0003173560.tif 000003
【図２】
0003173560.tif 000004
【図３】
0003173560.tif 000005
【図４】
0003173560.tif 000006
【図５】
0003173560.tif 000007
【図６】
0003173560.tif 000008
【図７】
0003173560.tif 000009